(57)【要約】      （修正有）【課題】敏速に型枠に取り付け、またそれらを破損することなく型枠から簡単に外すことができる目地棒および面木を提供する。【解決手段】本体を中空の塩ビで形成し、その中空部分に木材２を差し込み中空部分を埋めることにより両者を合体させ、両者の長所だけを残しその欠点を消し去ることにより芯をもった真っ直ぐで弾力性に富んだしかも形の整った目地棒・面木１とし、それらを型枠５に止めるのに使用する釘の釘足４の太さと同じ径の釘穴をそれらにあけることにより型枠５への取り付けおよび取り外しを品物を少しも傷めずに迅速に行えるようにし、品物の繰り返しの使用を可能にした。【選択図】図２
2013241819.tif 000002
【特許請求の範囲】
【請求項１】
型枠上の目地棒または面木を取り付ける位置に墨を打ち、その墨にそって本体部分が塩ビ製の中空の目地棒または面木よりなり、その中空の部分に木材を差し込み中空部分を木材で埋め込んだ形状の合体式目地棒または面木にそれを型枠に取り付けるのに使用する釘の釘足の太さと同じ径、またはほぼ同じ径以下の釘穴をあけその釘穴に釘を差し込み金づちで釘を打ち込み、型枠に合体式目地棒または面木を取り付ける工法。
【請求項２】
請求項１の工法で型枠に取り付けられた合体式目地棒または面木の一端を手で持ち、釘の打ち込み方向と逆の方向に持ち上げることによりその合体式目地棒または面木の持つ強力な弾力によって釘を抜き取るか、負荷の大きい場合は持ち上げることによってできた型枠との間の隙間にバールを差し込み上下に動かして釘を抜き合体式目地棒または面木を型枠から傷をつけずに外す工法。
【請求項３】
請求項１および２で本体部分が塩ビ製の中空の目地棒よりなり、その中空の部分に木材を差し込み中空部分を木材で埋め込んだ形状の目地棒にそれを型枠に取り付けるのに使用する釘の釘穴の太さと同じ径またはほぼ同じ径以下の釘穴があけられている合体式目地棒（商品名：木芯目地棒）。
【請求項４】
請求項１および２で本体部分となる塩ビ製の中空の部分とまったく同じ寸法の木製の面木を差し込み、中空部分を隙間なく埋め尽くした形状の面木にそれを型枠に取り付けるのに使用する釘の釘穴の太さと同じ径またはほぼ同じ径以下の釘穴があけられている合体式面木（商品名：木芯面木）。
【発明の詳細な説明】
【技術分野】
【０００１】  本発明ではビル等のコンクリート構造物の目地取りおよび面取りで使用する目地棒および面木において、本体部分を形成する塩ビ製の中空の目地棒及び面木の中空部分に木材を差し込むことにより中空部分を埋め、そしてその合体式目地棒及び面木にそれを型枠に止めるのに使用する釘の釘穴の太さと同じ径またはほぼ同じ径の釘穴をあけ、その釘穴に釘を差し込み金づちで釘を打ち込むことにより合体式目地棒または合体式面木を型枠に取り付けることでその取り付けおよび取り外しを少しも損傷することなく行えるようにした。
【背景技術】
【０００２】  従来の技術による目地棒及び面木は木製・中空の塩ビ製・低発泡製の三種類である。
【発明が解決しようとする課題】
【０００３】  従来の技術による目地棒および面木は以下に述べるような欠点があり資源の無駄遣いとなり、またその仕上がり面も美しくない。中空の塩ビ製のものは、中が中空のためその取り外し時に破損する。低発泡製のものは柔らかすぎてその取り外し時に破損する。本製のものは２、３度は転用することが可能であるが、木のアクが出てコンクリートに付着する場合がある。また繊維質なので乾燥により曲がり・そりおよびひねりが起きる、釘の打ち込み時に割れやすい等の欠点がある。
【課題を解決するための手段】
【０００４】  そこで、当考案者は中空の塩ビ製品と木材を合体させ両者の長所のみを取り込み、欠点を取り除くことを考えた。すなわち塩ビの持つ長所（１．均一のものを多量に生産することができる、２．弾力性が強い、３．水分を吸収しないのでコンクリートのはがれば良い、４．アクが出ない、５．ねじれ、そり曲がりが生じない）と木材の持つ長所（１．芯がある、２．ねばりけがある）のみを生かした使いやすくて繰り返しの使用ができる製品を作り出した。
【発明の詳細な説明】
【０００５】  その製作および工法には次に述べる点に注意することが重要である。まず第１に重要なのは合体させた目地棒及び面木にあける釘穴であるが、その釘穴の大きさは合体させた目地棒及び面木を型枠に止めるのに使用する釘の釘足の太さと同じ径以下の大きさであることが肝要である。なぜならば釘穴が釘足の径より大きいと、目地棒及び面木を型枠から取り外すときに釘の頭に圧力がかかるのでその反発力が釘足の周りの塩ビを下に押す圧力となり、その圧力で釘足の周りの塩ビが釘穴に巻き込むように押し込まれ塩ビに穴があき、釘の頭が塩ビと差し込まれている木材との間に入り込み釘を取り除くことができなくなるか、釘と釘穴の隙間がたとえわずかであってもその型枠よりの取り外しは目地棒あるいは面木の端を持って持ち上げるので、テコの原理で巨大なモーメントが釘を止めている所を支点として発生しその部分より折れてしまって再度の利用ができない。第２に重要なことは合体式の目地棒の製作においては、台形状をした塩ビの中空部分に差し込む木材とその台形状をした面の上底との間に隙間ができないように差し込む必要がある。なぜなら上底と差し込まれた木材との間に隙間があると、目地棒を型枠から取り外すときに上に持ち上げると、釘の頭に圧力がかかり釘の頭の下にある塩ビを突き破って釘の頭が塩ビと差し込まれている木材の間に入り込み釘を取り除くことができなくなり、再度の利用ができなくなる。また合体式の面木の製作においても、同様の理由から塩ビの中空部分にその中空部分の大きさと等しい同型の木製の面木を差し込み本体となる塩ビ部分と芯となる木材との間に隙間を作らないことが重要である。
【発明の効果】
【０００６】  当工法では、本体となる塩ビ製の中空の目地棒及び面木の中空の部分に木材を差し込むので芯の通った真っ直ぐなものとなり墨に沿わせやすく、また釘穴があるので釘打ち作業によって起こる材料の割れも生じず、その型枠への取り付け作業を正確に迅速に行うことができる。また目地および面を作り出す本体となる部分が塩ビ製なのでその仕上がり面は正確な寸法の美しい仕上がりとなる。そして特に大きな利点は中空の塩ビ製品と木材とを合体させることによって芯を持ったより強固で弾力に富んだ合体式の目地棒及び面木を作り上げ、しかもそれを型枠に取り付けるのに使用する釘の釘足と同径の釘穴をあけたことによって、その取り外しは目地棒・面木の一端を手で持ち釘の打ち込み方向と逆の方向に持ち上げるだけでもその弾力で目地棒及び面木を止めている釘が抜け目地棒・面木を型枠から少しも傷つけることなく取り外せるようになった。また木製品の場合は乾燥の度合いによって、曲がり、そり、ねじれを生じるが、合体式の目地棒・面木は外部が塩ビで木材はその中空部分に内蔵されているので、乾燥の影響は受けずいつまでも真っ直ぐな状態を保つことができる。
【発明を実施するための最良の状態】
【０００７】
【実施例１】
【０００８】  型枠上の目地棒を取り付ける位置に墨を打ちそれに沿って合体式の目地棒を置き、それにあけられている釘穴に釘を差し込み、金づちで打ち込み型枠に目地棒を取り付け、生コンを型枠内に流し込み、数日の間生コンの固化をまち、できあがったコンクリート構造物と型枠との間にバールを差し込み、前後に動かして型枠上に合体式目地棒が付いた状態で型枠を取り外し、型枠上に残った合体式目地棒の一方の端を釘の打ち込み方向と逆の方向に持ち上げると合体式目地棒の強力な弾力によって釘が型枠から抜け飛び出し、合体式目地棒を傷つけることなく取り外すことができる。
【実施例２】
【０００９】  型枠を組み、その内部の天端となるべき位置に天端墨を打ちその墨に沿って本体部分が中空の塩ビでその内部に木材が差し込まれた形状の合体式の面木を置き、それにあけられている釘穴に釘を差し込み、金づちで打ち込み型枠に面木を取り付けた後生コンを型枠の間に取り付けた合体式面木の上面まで流し込み、その上面にコテを乗せ、滑らせることにより天端を均し、数日の間生コンの固化を待ち、できあがったコンクリート構造物と型枠との間にバールを差し込み、前後に動かして型枠上に合体式面木が付いた状態で固化したコンクリート構造物より型枠を取り外し、型枠上に残った合体式面木の一端を持ち釘の打ち込み方向と反対の方向に持ち上げるとその強力な弾力によって釘をはじき飛ばすように抜くことができ合体式面木を型枠より外すことができる。
【図面の簡単な説明】
【００１０】
【図１】ａ  いろいろな合体式目地棒の図  ｂ  合体式面木の図
【図２】ａ  正しく作られた合体式目地棒が型枠に取り付けられた状態  ｂ  正しく作られた合体式目地棒を型枠より外すときの状況  ｃ  正しく作られた合体式目地棒が型枠から外されたときの状態
【図３】ａ  使用する釘の釘穴の太さよりも大きい釘穴があけられた目地棒を型枠上に取り付けた状態  ｂ  使用する釘の釘穴の太さよりも大きい釘穴があけられた目地棒を型枠より取り外しているときの状況  ｃ  使用する釘の釘穴の太さよりも大きい釘穴があけられた目地棒を型枠より取り外したときの状態  ｄ  使用する釘の釘穴の太さよりも大きい釘穴があけられた目地棒を型枠より取り外しているときのもう一つの状況
【図４】ａ  本体を形成する台形状の塩ビの上底とそれに差し込まれる木材との間に隙間ができた場合の取り付け状態  ｂ  本体を形成する台形状の塩ビの上底とそれに差し込まれる木材との間に隙間ができた場合の取り外し状態  ｃ  本体を形成する台形状の塩ビの上底とそれに差し込まれる木材との間に隙間ができた場合の型枠から外されたときの状態
【符号の説明】
【００１１】１      本体を形成する塩ビ製中空の目地棒２      中空の部分に差し込んだ木材３      釘の頭４      釘足５      型枠６      釘穴７      本体を形成する台形状の塩ビ製中空の目地棒の上底と中空部分に差し込んだ木材        との間にできた空白部８      釘穴が使用する釘の釘穴より大きい場合にできる空白部
【図１】
2013241819.tif 000003
【図２】
2013241819.tif 000004
【図３】
2013241819.tif 000005
【図４】
2013241819.tif 000006
【手続補正書】
【提出日】平成24年7月6日(2012.7.6)
【手続補正１】
【補正対象書類名】特許請求の範囲
【補正対象項目名】全文
【補正方法】変更
【補正の内容】
【特許請求の範囲】
【請求項１】
型枠上の目地棒を取り付ける位置に墨を打ち、その墨に沿って本体部分が塩ビ製の中空の目地棒よりなり、その中空の部分に木材がその上底との間に隙間ができないように差し込まれている合体式の目地棒を置き、その上底から釘を打ち込み合体式目地棒を型枠に取り付ける工法。
【請求項２】
型枠上の目地棒を取り付ける位置に墨を打ち、その墨に沿って本体部分が塩ビ製の中空の目地棒よりなり、その中空の部分に木材がその上底との間に隙間ができないように差し込まれている合体式の目地棒にそれを型枠に取り付けるのに使用する釘の釘足の太さと同じ径またはほぼ同じ径以下の釘穴をあけて置き、その釘穴に釘を差し込み金づちで釘を打ち込み型枠に合体式目地棒を取り付ける工法。
【請求項３】
型枠上の面木を取り付ける位置に墨を打ちその墨に沿って本体部分が塩ビ製の中空の面木よりなり、その中空の部分にまったく同じ寸法の木製の面木を差し込むことにより中空部分を隙間なく埋めつくした形状の面木にそれを型枠に取り付けるのに使用する釘の釘足の太さと同じ径またはほぼ同じ径以下の釘穴をあけて置き、その釘穴に釘を差し込み金づちで釘を打ち込むことにより型枠に合体式面木を取り付ける工法。
【請求項４】
請求項１，２および３の工法で型枠に取り付けられた合体式目地棒または面木の一端を手で持ち、釘の打ち込み方向と逆の方向に持ち上げることによりその合体式目地棒または面木の持つ強力な弾力によって釘を型枠より抜き取るか、負荷の大きい場合は持ち上げることによってできた型枠との間の隙間にバールを差し込み上下に動かして釘を抜き合体式目地棒または面木を型枠から傷をつけずに外す工法。
【請求項５】
本体部分が塩ビ製の中空の目地棒よりなり、その中空の部分に木材を差し込み中空部分を木材で埋め込んだ形状の目地棒にそれを型枠に取り付けるのに使用する釘の釘足の太さと同じ径またはほぼ同じ径以下の釘穴があけられている合体式目地棒（商品名：木芯目地棒）。
【請求項６】
本体部分となる塩ビ製の中空の目地棒の中空の部分に木材が木材とその上底との間に隙間ができないように差し込まれている合体式目地棒（商品名：木芯目地棒）。
【請求項７】
本体部分となる塩ビ製の面木の中空の部分にその部分とまったく同じ寸法の木製の面木を差し込み、中空部分を隙間なく埋めつくした形状の面木にそれを型枠に取り付けるのに使用する釘の釘足の太さと同じ径またはほぼ同じ径以下の釘穴があけられている合体式面木（商品名：木芯面木）。
【手続補正２】
【補正対象書類名】明細書
【補正対象項目名】００１０
【補正方法】変更
【補正の内容】
【００１０】
【図１】  ａいろいろな合体式目地棒の図  ｂ合体式面木の図
【図２】  ａ正しく作られた合体式目地棒が型枠に取り付けられた状態  ｂ正しく作られた合体式目地棒を型枠より外すときの状況  ｃ正しく作られた合体式目地棒が型枠から外されたときの状態
【図３】  ａ使用する釘の釘足の太さよりも大きい釘穴があけられた目地棒を型枠上に取り付けた状態  ｂ使用する釘の釘足の太さよりも大きい釘穴があけられた目地棒を型枠より取り外しているときの状況  ｃ使用する釘の釘足の太さよりも大きい釘穴があけられた目地棒を型枠より取り外したときの状態  ｄ使用する釘の釘足の太さよりも大きい釘穴があけられた目地棒を型枠より取り外しているときのもう一つの状況
【図４】  ａ本体を形成する台形状の塩ビの上底とそれに差し込まれる木材との間に隙間ができた場合の取り付け状態  ｂ本体を形成する台形状の塩ビの上底とそれに差し込まれる木材との間に隙間ができた場合の取り外し状態  ｃ本体を形成する台形状の塩ビの上底とそれに差し込まれる木材との間に隙間ができた場合の型枠から外されたときの状態